(57)【特許請求の範囲】
【請求項１】
接点収納ケース内に所定間隔を保って固定配置された直流電流路に介挿される一対の固定接触子と、
該一対の固定接触子に対して接離可能に配設された可動接触子と、
該可動接触子を可動させる電磁石ユニットと、
前記一対の固定接触子のそれぞれに個別に接続された一対のコンデンサと、
該一対のコンデンサの他端に接続した抵抗と、
該抵抗の両端のインピーダスを検出して、前記一対の固定接触子に対して前記可動接触子が所定ギャップを介して対向している開極状態及び前記一対の固定接触子に前記可動接触子が接触している閉極状態を検出する接触状態検出部と、を備え、
前記一対のコンデンサの合成インピーダンスと前記抵抗のインピーダンスとが一致するように調整されていることを特徴とする電磁開閉器。
【請求項２】
前記接触状態検出部は、一端が前記抵抗の一端に接続され、他端が接地に接続されたパルス信号発生部と、該パルス信号発生部と接地との間と前記抵抗の他端との間に接続された電圧制限抵抗と、前記抵抗及び前記電圧制限抵抗の接続点の電位と基準電位とを比較する比較部とを備えていることを特徴とする請求項１に記載の電磁開閉器。
【請求項３】
接点収納ケース内に所定間隔を保って固定配置された直流電流路に介挿される一対の固定接触子と、
該一対の固定接触子に対して接離可能に配設された可動接触子と、
該可動接触子を可動させる電磁石ユニットと、
前記一対の固定接触子のそれぞれに個別に接続された一対のコンデンサと、
該一対のコンデンサの他端に接続した抵抗と、
該抵抗の両端のインピーダスを検出して、前記一対の固定接触子に対して前記可動接触子が所定ギャップを介して対向している開極状態及び前記一対の固定接触子に前記可動接触子が接触している閉極状態を検出する接触状態検出部と、を備え、
前記接触状態検出部は、一端が前記抵抗の一端に接続され、他端が接地に接続されたパルス信号発生部と、該パルス信号発生部と接地との間と前記抵抗の他端との間に接続された電圧制限抵抗と、前記抵抗及び前記電圧制限抵抗の接続点の電位と基準電位とを比較する比較部とを備えていることを特徴とする電磁開閉器。
【請求項４】
前記コンデンサは前記一対の固定接触子の前記接点収納ケースから突出する端部に嵌合させる誘電体リングで構成されていることを特徴とする請求項１乃至３の何れか１項に記載の電磁開閉器。
【発明の詳細な説明】
【技術分野】
【０００１】
本発明は、直流電流路に介挿された可動接触子及び一対の固定接触子を備えた電磁開閉器に関し、固定接触子及び可動接触子がギャップを保って対向する開極状態及び両者が接触する閉極状態を検出できるようにしたものである。
【背景技術】
【０００２】
従来、電磁継電器や電磁接触器などの電磁開閉器では、封止容器内に、所定間隔を保って一対の固定接触子を配置すると共に、一対の固定接触子に対して可動接触子を接離可能に配置するようにしている（例えば、特許文献１参照）。
そして、一対の固定接触子に対して可動接触子が所定ギャップを介して対向している釈放状態では、一対の固定接触子間の直流電流路が遮断された開極状態となっている。これに対して、可動接触子を例えば電磁石装置などの駆動部で駆動して、一対の固定接触子に接触させた投入状態では、一対の固定接触子間に直流電流路が形成されて閉極状態となる。
【先行技術文献】
【特許文献】
【０００３】
【特許文献１】特開平９−２５９７２８号公報
【発明の概要】
【発明が解決しようとする課題】
【０００４】
しかしながら、上記特許文献１に記載された従来例にあっては、一対の固定接触子とこれに接離可能に配置された可動接触子とを封止容器内に配置するようにしており、可動接触子の可動状態を外部から視認することができないため、投入状態としたときに可動接触子が動作しない場合や、釈放状態としたときに可動接触子が一対の固定接触子から離間しない場合を確認することができないという未解決の課題がある。
そこで、本発明は上記従来例の未解決の課題に着目してなされたものであり、一対の固定接触子に対して可動接触子が接触しているか否かを監視することができる電磁開閉器を提供することを目的としている。
【課題を解決するための手段】
【０００５】
上記目的を達成するために、本発明に係る電磁開閉装置の第１の態様は、接点収納ケース内に所定間隔を保って固定配置された直流電流路に介挿される一対の固定接触子と、該一対の固定接触子に対して接離可能に配設された可動接触子と、該可動接触子を可動させる電磁石ユニットとを備えている。また、電磁開閉装置は、前記一対の固定接触子のそれぞれに個別に接続された一対のコンデンサと、該一対のコンデンサの他端に接続した抵抗と、該抵抗の両端のインピーダンスを測定して、前記一対の固定接触子に対して前記可動接触子が所定ギャップを介して対向している開極状態及び前記一対の固定接触子に前記可動接触子が接触している閉極状態を検出する接触状態検出部とを備えている。
【０００６】
この第１の態様によると、直流電流路を開閉する一対の固定接触子に個別にコンデンサが接続され、これらコンデンサの他端に抵抗を接続する。この抵抗の両端のインピーダンスを測定することにより、一対の固定接触子に対する可動接触子の接触状態及び非接触状態を正確に検出することができる。
【０００７】
また、本発明に係る電磁開閉器の第２の態様は、前記コンデンサが前記一対の固定接触子の前記接点収納ケースから突出する端部に嵌合させる誘電体リングで構成されている。
この第２の態様によると、一対の固定接触子に誘電体リングを嵌合させることにより、コンデンサを形成することができ、誘電体リングの厚みを調整することにより、インピーダンスを調整することができる。
【０００８】
また、本発明に係る電磁開閉器の第３の態様は、前記一対のコンデンサの合成インピーダンスと前記抵抗のインピーダンスとが一致するように調整されている。
この第３の態様によると、前記抵抗の両端のインピーダンスを、可動接触子が一対の固定接触子に接触している場合の値に対して可動接触子が一対の固定接触子に接触している場合に半分の値とすることができる。
【０００９】
また、本発明に係る電磁開閉器の第４の態様は、前記接触状態検出部が、一端が前記抵抗の一端に接続され、他端が接地に接続されたパルス信号発生部と、該パルス信号発生部と接地との間と前記抵抗の他端との間に接続された電圧制限抵抗と、前記抵抗及び前記電圧制限抵抗の接続点の電位と基準電位とを比較する比較部とを備えている。
【００１０】
この第４の態様によると、一対の固定接触子に対して可動接触子が接触していない開極状態では、パルス信号発生部で発生する所定周波数のパルス電圧が抵抗と電圧制限抵抗とで分割した値となる。この開極状態から可動接触子を一対の固定接触子に接触させる閉極状態とすると、抵抗に対して一対のコンデンサの直列回路が並列に接続されることになり、抵抗の両端のインピーダンスが減少する。このインピーダンスの変化を比較部で検出することにより、開極状態及び閉極状態を表す接点接触検出信号を得ることができる。
【発明の効果】
【００１１】
本発明によれば、一対の固定接触子に個別にコンデンサを介して抵抗の両端に接続することにより、抵抗の一対の固定接触子に対する可動接触子の接離状態を抵抗の両端のインピーダンス変化で正確に検出することができる。
【図面の簡単な説明】
【００１２】
【図１】本発明を電磁接触器に適用した場合の第１の実施形態を示す断面図である。
【図２】可動接触子及び一対の固定接触子で構成される接点機構の開閉状態を検出する回路構成図であり、（ａ）は開極状態の回路構成図、（ｂ）は閉極状態の回路構成図である。
【図３】インピーダンス変化検出回路を示す回路図である。
【図４】コンデンサの構成例を示す図であり、（ａ）は分解斜視図、（ｂ）はコンデンサの装着状態を示す斜視図、（ｃ）はコンデンサの容量調整の説明図である。
【図５】接触状態検出部の他の例を示す回路図である。
【発明を実施するための形態】
【００１３】
以下、本発明の実施の形態を図面に基づいて説明する。
図１は本発明の接点装置を電磁開閉器としての電磁接触器に適用した場合の第１の実施形態を示す断面図である。この図１において、１は例えば合成樹脂製の外装ケースである。この外装ケース１は、下端面が開放された有底筒体１ａと、この有底筒体１ａの下端面を閉塞する底板１ｂとで構成されている。
【００１４】
外装ケース１内には、接点機構を配置した接点装置２と、この接点装置２を駆動する電磁石装置としての電磁石ユニット３とが電磁石ユニット３を底板１ｂ上に配置した関係で直列に収納されている。
接点装置２は、接点収納ケース４を有する、この接点収納ケース４は、セラミックス、合成樹脂等で形成される下端を開放した桶状体４ａとその開放端面に密着固定された金属製の接合部材４ｂ、桶状体４ａの側面を覆う金属筒体４ｃとで構成されている。そして、接合部材４ｂが電磁石ユニット３の上部磁気ヨーク２２の上面にロー付け、溶接等によって気密状態で固定されている。
【００１５】
桶状体４ａの上面には、長手方向に所定間隔を保って断面円形の貫通孔５ａ，５ｂが設けられ、これら貫通孔５ａ，５ｂ内に例えば銅製の一対の固定接触子６ａ，６ｂが挿通されて接着剤等によって固定されている。
この固定接触子６ａ，６ｂのそれぞれは、上部側の大径頭部７とこの大径頭部７と同軸的に連接された下部側の小径円柱部８とで構成されている。
【００１６】
これら固定接触子６ａ，６ｂが小径円柱部８を桶状体４ａの貫通孔５ａ，５ｂ内に挿通した状態で桶状体４ａに接着剤等によって貫通孔５ａ，５ｂを密封するように固定されている。
また、接点装置２は、固定接触子６ａ，６ｂの小径円柱部８の下端面に比較的狭い所定のギャップを隔てて可動接触子１１が接離可能に対向配置されている。そして、可動接触子１１は接触子ホルダ１３に接触スプリング１４によって上方に付勢されて装着されている。接触子ホルダ１３は、後述する電磁石ユニット３の可動プランジャ２５に連結されて上下方向に駆動される。
【００１７】
さらに、固定接触子６ａ，６ｂの大径頭部７には外部接続端子板１５ａ，１５ｂがビス止めされている。
電磁石ユニット３は、側面から見てＵ字形状の磁気ヨーク２１を有し、この磁気ヨーク２１の底板部２１ａの中央部に下端を開放した円筒部２１ｂが形成されている。この磁気ヨーク２１の上面側が上部磁気ヨーク２２によって連接されている。
【００１８】
磁気ヨーク２１の円筒部２１ｂの外周面には励磁コイル２３を巻装したコイルホルダ２４が装着され、円筒部２１ｂの内周面には可動プランジャ２５を摺動可能に内装した有底円筒状のキャップ２６が配設されている。このキャップ２６の底面には、可動プランジャ２５の底面と接触して可動プランジャ２５の下降時の衝撃を吸収するゴム座２７が配設されている。
【００１９】
可動プランジャ２５には、中心部に連結軸２８が嵌合され、この連結軸２８の頭部が上部磁気ヨーク２２に形成された貫通孔２９を通じて上方に延長され、接触子ホルダ１３に連結されている。
また、可動プランジャ２５の連結軸２８の周囲にスプリング挿通孔３０が形成され、このスプリング挿通孔３０と上部磁気ヨーク２２との間に可動プランジャ２５を下方に付勢する復帰スプリング３１が装着されている。
【００２０】
そして、桶状体４ａ、接合部材４ｂ及び金属筒体４ｃで構成される接点収納ケース４、上部磁気ヨーク２２及びキャップ２６で構成される密封空間内に水素ガス、窒素ガス、水素及び窒素の混合ガス、空気、ＳＦ６等のアーク消弧ガスが封入されている。
そして、前述した一対の固定接触子６ａ及び６ｂに対して所定ギャップを介して可動接触子１１が対向している開極状態と、一対の固定接触子６ａ及び６ｂに可動接触子１１が切所している閉極状態とが、図２に示すように、接触状態検出部５０によって検出される。
【００２１】
この一対の固定接触子６ａ及び６ｂと可動接触子１１との接触状態の検出は、図２に示すように、一対の固定接触子６ａ及び６ｂに個別にコンデンサ４２Ａ及び４２Ｂの一端が接続されている。これらコンデンサ４２Ａ及び４２ｂの他端間に抵抗４３が接続されている。そして、検出抵抗４３の両端から測定端子４４Ａ及び４４Ｂが導出されている。
そして、測定端子４４Ａ及び４４Ｂに接触状態検出部５０が接続され、この接触状態検出部５０によって検出抵抗４３の両端のインピーダンスを検出して、可動接触子１１の接触状態を検出するようにしている。
【００２２】
この接触状態検出部５０は、図３に示すように、測定端子４４Ａに接続される接続端子５１Ａと測定端子４４Ｂに接続される接続端子５１Ｂとを備えている。
接続端子５１Ａ及び接地間にパルス電圧信号を出力するパルス信号発生部５２が介挿されている。そして、パルス信号発生部５２と接地との接続点と前記接続端子５１Ｂとの間に電圧制限抵抗５３が介挿されている。この電圧制限抵抗と接続端子５１Ｂとの接続点に比較部としての比較器５４の反転入力端子が接続されている。この比較器５４の非反転入力端子には基準電圧Ｖｂが供給されている。
【００２３】
したがって、比較器５４の出力端子から反転入力端子に入力される電圧Ｖｉｎが非反転入力端子に入力される基準電圧Ｖｂより高いときにローレベルの接点状態検出信号Ｖｃが出力され、逆に反転入力端子に供給される電圧が非反転入力端子に供給される基準電圧Ｖｂより低い場合にはハイレベルの接触状態検出信号Ｖｃが出力される。
そして、比較器５４から出力される接触状態検出信号Ｖｃが例えばレベルを反転するインバータ５５を介して発光ダイオード５６を駆動するダイオード駆動回路５７に供給され、このダイオード駆動回路５７で接触状態検出信号Ｖｃがローレベルであるときに発光ダイオード５６を点灯する。
【００２４】
次に、上記実施形態の動作を説明する。
今、外部接続端子板１５ａが例えば大電流を供給する直流電力供給源に接続され、外部接続端子板１５ｂが負荷に接続されているものとする。
この状態で、電磁石ユニット３における励磁コイル２３が非通電状態にあって、電磁石ユニット３で可動プランジャ２５を可動させる励磁力を発生していないものとする。この状態では、可動プランジャ２５が復帰スプリング３１によって、上部磁気ヨーク２２から離れる下方向に付勢されて、ゴム座２７に当接した状態となる。このため、可動プランジャ２５に連結軸２８を介して連結された接触子ホルダ１３に支持された可動接触子１１は、固定接触子６ａ，６ｂの小径円柱部８の下端面から所定のギャップを挟んで対向しており、接点装置２が開極（釈放）状態となっている。
【００２５】
この接点装置２の開極状態から、電磁石ユニット３の励磁コイル２３に通電すると、この電磁石ユニット３で励磁力を発生させて、可動プランジャ２５を復帰スプリング３１に抗して上方に押し上げる。これに応じて、可動プランジャ２５に連結軸２８を介して連結されている接触子ホルダ１３が上方に移動し、可動接触子１１が固定接触子６ａ，６ｂの小径円柱部８の底面に接触スプリング１４の接触圧で接触する。
【００２６】
このため、外部電力供給源の大電流ｉが外部接続端子板１５ａ、固定接触子６ａ、可動接触子１１、固定接触子６ｂ及び外部接続端子板１５ｂを通じて負荷に供給される閉極（投入）状態となる。
この接点装置２の閉極状態から、負荷への電流供給を遮断する場合には、電磁石ユニット３の励磁コイル２３への電圧印加を停止する。
【００２７】
これによって、電磁石ユニット３で可動プランジャ２５を上方に移動させる励磁力がなくなることにより、可動プランジャ２５が復帰スプリング３１の付勢力によって下降する。この可動プランジャ２５が下降することにより、連結軸２８を介して連結された接触子ホルダ１３が下降し、これに応じて接触スプリング１４で接触圧を与えている間は可動接触子１１が固定接触子６ａ，６ｂに接触している。その後、接触スプリング１４の接触圧がなくなった時点で可動接触子１１が固定接触子６ａ，６ｂから下方に離間する開極状態となる。
【００２８】
この開極状態となると、固定接触子６ａ，６ｂと可動接触子１１との間にアークが発生する。このアークは、図示しないアーク消弧用永久磁石によって大きく引き伸ばされて消弧される。
このようにして、電磁石ユニット３の励磁コイル２３を非通電状態及び通電状態に制御することにより、接点装置２が一対の固定接触子６ａ及び６ｂから可動接触子１１が所定ギャップを保って離間している開極状態と、一対の固定接触子６ａ及び６ｂに可動接触子１１が接触する閉極状態とに動作される。
【００２９】
そして、接点装置２が開極状態にあるときには、図２（ａ）に示すように、一対の固定接触子６ａ及び６ｂ間が開極されているので、測定端子４４Ａ及び４４Ｂ間のインピーダンスは抵抗４３のインピーダンスＲのみとなる。
これに対して接点装置２が閉極状態にあるときには、図２（ｂ）に示すように、一対の固定接触子６ａ及び６ｂ間が可動接触子１１によって導通されているので、抵抗Ｒと並列にコンデンサ４２Ａ及び４２Ｂとの並列回路となる。このため、コンデンサ４２Ａ及び４２ＢのインピーダンスをＲｃとすると、測定端子４４Ａ及び４４ｂ間のインピーダンスはＲ×２Ｒｃ／（Ｒ＋２Ｒｃ）となり、抵抗４３のインピーダンスＲより小さい値となる。
【００３０】
このとき、コンデンサ４２Ａ及び４２ＢのインピーダンスＲｃは、パルス信号発生部４２のパルス電圧信号の周波数をｆとし、コンデンサ４２Ａ及び４２Ｂの容量をＣとすると、
Ｒｃ＝１／２πｆＣ
となる。
ここで、コンデンサ４２Ａ及び４２Ｂの容量Ｃ及びパルス電圧信号の周波数ｆの少なくとも一方を調整してコンデンサ４２Ａ及び４２Ｂの合成インピーダンス２Ｒｃを抵抗４３のインピーダンスＲと一致させると、閉極時のインピーダンスをＲ／２とすることができ、開極時のインピーダンスＲの半分とすることができる。
これらを纏めると下記表１で表すことができる。
【００３１】
【表１】
0005981766.tif 000002
【００３２】
このため、接触状態検出部５０では、接点装置２の開極状態では、パルス信号発生部５２から所定周波数のパルス電圧信号を出力すると、このときのパルス電圧信号は、抵抗４３と電圧制限抵抗５３とで分圧されて、比較器５４の反転入力端子に供給される。
ここで、接点装置２が閉極状態となると、前述したようにインピーダンスが開極時のインピーダンスに比較して小さくなる。このため、比較器５４の反転入力端子に入力される電圧が大きくなる。
【００３３】
したがって、比較器５４の非反転入力端子に供給される基準電圧Ｖｂは、開極時に反転入力端子に供給される電圧より高い電圧で且つ閉極時に反転入力端子に供給される電圧より低い電圧に設定されている。
このため、接点装置２の開極時には、比較器５４の反転入力端子に供給される電圧Ｖｉｎが基準電圧Ｖｂより低い値となるので、比較器５４から開極状態を表すハイレベルの接触状態検出信号Ｖｃが出力される。
一方、接点装置２の閉極時には、比較器５４の反転入力端子に供給される電圧Ｖｉｎが基準電圧Ｖｂより高い値となるので、比較器５４から閉極状態を表すローレベルの接触状態検出信号Ｖｃが出力される。
【００３４】
したがって、比較器５４から出力される接触状態検出信号Ｖｃをインバータ５５で反転して例えば発光ダイオード５６を駆動する駆動回路５７に供給することにより、開極時に発光ダイオードを消灯し、閉極時に発光ダイオードを点灯させることができ、可動接触子１１の接触状態を正確に表示することができる。このため、可動接触子１１の接触状態の監視を電磁接触器の外部で正確に行うことができる。
【００３５】
また、一対の固定接触子６ａ及び６ｂ間のインピーダンス測定用回路として一対の固定接触子６ａ及び６ｂに個別にコンデンサ４２Ａ，４２Ｂを接続するようにしているので、これらコンデンサ４２Ａ及び４２Ｂによって一対の固定接触子６ａ及び６ｂに流れる直流電流を遮断することができ、接触状態検出部５０に高電流が影響することを防止することができる。
【００３６】
次に、本発明の第２の実施形態について図４を参照して説明する。
この第２の実施形態では、一対の固定接触子６ａ及び６ｂに接続するコンデンサの構成を変更したものである。
すなわち、第２の実施形態では、図４（ａ）に示すように、内径を一対の固定接触子６ａ及び６ｂの外装ケース１から突出する端部の外径と等しいか又はこれより僅かに小さくし、外周面に電極部６１を形成した扁平な円筒状の誘電体リング６２Ａ及び６２Ｂを用意する。
【００３７】
そして、これら誘電体リング６２Ａ及び６２Ｂを、図４（ｂ）に示すように、一対の固定接触子６ａ及び６ｂの外装ケース１から突出する端部の外周面に嵌合させる。これにより、誘電体リング６２Ａ及び６２Ｂの内周面に接触する固定接触子６ａ及び６ｂと、誘電体リング６２Ａ及び６２Ｂと、この誘電体リング６２Ａ及び６２Ｂの外周面に形成された電極部６１とでコンデンサが形成される。
【００３８】
そして、誘電体リング６２Ａ及び６２Ｂの電極部６１間に抵抗６３を接続すると共に、測定端子６４Ａ及び６４Ｂを導出することにより、前述した第１の実施形態と同様のインピーダンス測定用の回路構成とすることができる。
この場合には、図４（ｃ）に示すように、誘電体リング６２Ａ及び６２Ｂの厚みを調整することにより、静電容量Ｃを調整することができる。
【００３９】
その他の構成については前述した第１の実施形態と同様の構成を有する。
このように、上記第２の実施形態によると、一対の固定接触子６ａ及び６ｂに外周面に電極部６１を形成した誘電体リング６２Ａ及び６２Ｂを嵌合させてコンデンサを形成している。このため、前述した第１の実施形態のように一対の固定接触子６ａ及び６ｂに単体のコンデンサを接続する必要がなく、単に誘電体リング６２Ａ及び６２Ｂを一対の固定接触子６ａ及び６ｂに嵌合させるだけで良いので、全体の構成を簡略化することができると共に、小型化が可能となる。
【００４０】
しかも、誘電体リング６２Ａ及び６２Ｂの電極部６１に予め抵抗６３を接続すると共に、測定端子４４Ａ及び４４Ｂを導出するようにユニット化しておくことにより、インピーダンス測定部の組付けをより容易に行うことができる。
なお、上記第１及び第２の実施形態においては、インピーダンス変化検出回路を図３に示す構成とした場合について説明したが、これに限定されるものではなく、図５に示す自動平衡ブリッジ回路を適用することもできる。この自動平衡ブリッジ回路は、図５に示すように、接続端子７１Ａに正弦波交流電圧を発生する正弦波信号発生部７０を接続し、接続端子７１Ｂに帰還抵抗７２を出力側及び反転入力側間に介挿したオペアンプ７３で構成される反転増幅器７４の反転入力端子及び帰還抵抗７２の接続点を接続する。また、オペアンプ７３の非反転入力端子は接地されている。
【００４１】
そして、接続端子７１Ａの電圧Ｖ１とオペアンプ７３の出力電圧Ｖ２とを検出部７５に供給する。この検出部７５では、電圧Ｖ１及びＶ２を正弦波信号発生部７０の位相情報を利用して複素数として求め、これら電圧の比（Ｖ１／Ｖ２）に帰還抵抗７２の抵抗値Ｒｒを乗算して測定端子４４Ａ及び４４Ｂ間のインピーダンスを算出し、算出したインピーダンスを予め設定した可動接触子１１の接触状態を判別可能なインピーダンス閾値と比較することにより、可動接触子１１の接触状態を表す接触状態検出信号Ｖｃを得る。
【００４２】
また、上記第１及び第２の実施形態においては、接触状態検出部から出力される接触状態検出信号Ｖｃに基づいて発光ダイオード５６を駆動する場合について説明したが、これに限定されるものではなく、他の表示素子を駆動するようにしてもよく、さらには接触状態検出信号を電磁開閉器の開閉を制御する制御盤に供給して表示画面に接触状態を表示したり、異常検出回路に供給して、電磁開閉器の異常判断を行うようにしたりしてもよい。
【００４３】
また、上記第１及び第２の実施形態においては、接点収納ケース４を桶状体４ａ、接合部材４ｂ及び金属筒体４ｃで構成する場合について説明したが、これに限定されるものではなく、金属製の桶状体の内側に絶縁筒体を配置するようにしてよく、任意の構成とすることができる。
さらに、上記実施形態においては、接点収納ケース４にガスを封入する場合について説明したが、これに限定されるものではなく、遮断する電流値が少ない場合にはガスの封入を省略することができる。
【００４４】
また、上記実施形態においては、可動接触子１１が固定接触子６ａ及び６ｂに下側から対向する場合について説明したが、これに限定されるものではなく、固定接触子６ａ及び６ｂの接点部を接点収納ケース４の下側に配置し、これら接点部に対して上側から可動接触子１１を対向させるようにしてもよい。
さらに、電磁石ユニット３の構成も上記実施形態に限定されるものではなく、接触子ホルダ１３を電磁力で可動させることができれば任意の構成を適用することができる。
さらに、上記実施形態においては、本発明を電磁接触器に適用した場合について説明したが、これに限定されるものではなく、電磁継電器や他の構成の電磁開閉器に本発明を適用することができる。
【符号の説明】
【００４５】
１…外装ケース、２…接点装置、３…電磁石ユニット、４…接点収納ケース、４ａ…桶状体、４ｂ…接合部材、４ｃ…金属筒体、６ａ，６ｂ…固定接触子、１１…可動接触子、１２…アーク足移動促進部、１２ａ，１２ｂ…テーパー面、１３…接触子ホルダ、１４…接触スプリング、１５ａ，１５ｂ…外部接続端子板、２１…磁気ヨーク、２２…上部磁気ヨーク、２３…励磁コイル、２４…コイルホルダ、２５…可動プランジャ、２６…キャップ、２８…連結軸、３１…復帰スプリング、４２Ａ，４２Ｂ…コンデンサ、４３…抵抗、４４Ａ，４４Ｂ…測定端子、５０…接触状態検出部、５１Ａ，５１Ｂ…接続端子、５２…パルス信号発生部、５３…電圧制限抵抗、５４…比較器、５６…発光ダイオード、５７…ダイオード駆動回路、６１…電極部、６２Ａ，６２Ｂ…誘電体リング、６３抵抗、６４Ａ，６４Ｂ…測定端子、７０…正弦波信号発生部、７２…帰還抵抗、７３…オペアンプ、７４…反転増幅器、７５…検出部
【図１】
0005981766.tif 000003
【図２】
0005981766.tif 000004
【図３】
0005981766.tif 000005
【図４】
0005981766.tif 000006
【図５】
0005981766.tif 000007